(57)【特許請求の範囲】
【請求項１】
便鉢部が形成される本体部と、
前記便鉢部の内壁面において周方向に形成され、高位置の第１棚部と低位置の第２棚部を有する導水棚と、
前記第１棚部に吐水するように形成される第１吐水口と、
前記第２棚部に吐水するように形成され、前記第１吐水口よりも低い位置に形成される第２吐水口と、を備え、
前記第１棚部と前記第２棚部はなめらかな棚斜面により連結されることを特徴とする水洗式便器。
【請求項２】
少なくとも前記第２棚部を通過した洗浄水が前記棚斜面を上昇して前記第１棚部に進入する地点において、前記便鉢部の上面にオーバーハング部が形成されることを特徴とする請求項１に記載の水洗式便器。
【請求項３】
前記便鉢部の底部には、洗浄水を貯留する貯留領域が形成され、
前記第２吐水口からの吐水の主流は、前記第１棚部において前記第１吐水口からの吐水と合流することなく、前記貯留領域に落水することを特徴とする請求項１または２に記載の水洗式便器。
【請求項４】
前記第２吐水口からの吐水のうち、前記棚斜面を上昇して前記第１吐水口からの吐水に合流する水量は全水量の２０％未満であることを特徴とする請求項１から３のいずれかに記載の水洗式便器。
【請求項５】
前記第２吐水口からの吐水が上昇する前記棚斜面は、１０度以上の傾斜角を有することを特徴とする請求項１から４のいずれかに記載の水洗式便器。
【請求項６】
前記導水棚は、前記第１棚部と前記第２棚部が２つの棚斜面により連結されることにより、前記便鉢部の全周にわたって環状に形成され、
前記２つの棚斜面はいずれも前記便鉢部の平面視における後端半部側に形成されることを特徴とする請求項１に記載の水洗式便器。
【請求項７】
前記第１棚部は、前記第２棚部よりも長いことを特徴とする請求項１から６のいずれかに記載の水洗式便器。
【請求項８】
前記第２棚部を通過した洗浄水が前記第１棚部に向けて上昇する棚斜面は、平面視において前記便鉢部の底部に形成される貯留領域の側方に形成されることを特徴とする請求項１から７のいずれかに記載の水洗式便器。
【発明の詳細な説明】
【技術分野】
【０００１】
本発明は、水洗式便器、特に、旋回水流により便鉢を洗浄するタイプの水洗式便器に関する。
【背景技術】
【０００２】
水洗式便器においては、１以上の吐水口から便鉢部に洗浄水を吐出し、その洗浄水の勢いによって汚物を排水管に押し出す洗浄方式が知られている。以下、便器内部から汚物を排水管に押し出す力のことを「排出力」とよぶことにする。また、便鉢部の内壁面に汚物のカスが残らないようにするため、便鉢部の内壁面を広範囲にわたって洗浄する水流も必要である。以下、便鉢内壁を洗う力のことを「洗浄力」とよぶことにする。
【０００３】
近年では、水洗式便器の後部に、局部洗浄装置や温風装置などの機能部が取り付けられることも多い。特許文献１は、局部洗浄装置のノズル等が汚れるのを防ぐため、便鉢後端部の内壁面とほぼ面一となる蓋部材でノズルを覆っている。特許文献１は、ノズルの汚れを課題視しているものの、ノズルの蓋部材の汚れについてはユーザの拭き取り掃除を前提としているように見受けられる（特許文献１の段落［００３２］参照）。
【先行技術文献】
【特許文献】
【０００４】
【特許文献１】特開２０１０−１７４４５１号公報
【発明の概要】
【発明が解決しようとする課題】
【０００５】
上述のように、水洗式便器には、排出力と洗浄力という２つの機能が求められる。そのためには、洗浄水の勢いを殺さずにそのコースを巧みに変化させるデザインが必要である。しかも、局部洗浄装置のような機能部の搭載にも対応できる構造が求められている。
【０００６】
本発明の主たる目的は、水洗式便器において、洗浄力および排出力を高めるための新しいデザインを提案することにある。
【課題を解決するための手段】
【０００７】
本発明のある態様における水洗式便器は、便鉢部と、便鉢部の内壁面において周方向に形成され、高位置の第１棚部と低位置の第２棚部を有する導水棚と、第１棚部の上に形成される第１吐水口と、第２棚部の上に形成され、第１吐水口よりも低い位置に形成される第２吐水口と、を備える。
第１棚部と第２棚部はなめらかな棚斜面により連結される。
【発明の効果】
【０００８】
本発明によれば、水洗式便器における洗浄力と排出力を高めやすくなる。
【図面の簡単な説明】
【０００９】
【図１】水洗式便器の外観斜視図である。
【図２】水洗式便器の上面図である。
【図３】便鉢の側断面図である。
【図４】便鉢の正断面図である。
【図５】貯留領域に対する水流を示す模式図である。
【図６】本実施形態における第１棚部および第２棚部の高低関係を模式的に示す図である。
【図７】比較例における第１棚部および第２棚部の高低関係を模式的に示す図である。
【発明を実施するための形態】
【００１０】
図１は、水洗式便器１００の外観斜視図である。
水洗式便器１００の本体部１４４には、便鉢１０６が形成される。また、本体部１４４は、外部のタンクが貯蔵する洗浄水を第１吐水口１０２および第２吐水口１０４から便鉢１０６に吐出する。なお、洗浄水の一部は第３吐水口からも吐出されるがこれについては図２に関連して後述する。第３吐水口は、いわゆるジェット吐水口であってもよい。第１吐水口１０２は便鉢１０６の側面（ｙ軸負方向側）に形成される。第２吐水口１０４は便鉢１０６の後端面（ｘ軸負方向側）に形成される。便鉢１０６の内壁全周には環状に導水棚１０８が形成される。第２吐水口１０４から吐出された洗浄水（以下、「第２洗浄水」とよぶ）は、導水棚１０８の上を流れ、大部分は第１吐水口１０２の手前で便鉢１０６に落水するが、残りは第１吐水口１０２から吐出される洗浄水（以下、「第１洗浄水」とよぶ）と合流する。第１洗浄水は、導水棚１０８上を旋回することで便鉢１０６全体、特に、内壁前面および両側面を洗浄する。
【００１１】
便鉢１０６の上面は、高位置にある第１上面１１０と、低位置にある第２上面１１２を有する段差面として形成される。本実施形態における第２上面１１２は、上面に対する凹部１３８の平坦な底面を形成する。第２上面１１２は必ずしも平坦である必要はなく、下方または上方に湾曲する面として形成されてもよいし、第２上面１１２の一部に突起や切り欠きが形成されてもよい。凹部１３８（第２上面１１２の上部）に、局部洗浄機能や温風機能等を提供する機能部（図示せず）が載置される。第２上面１１２と第１上面１１０は、２つの上面斜面１４０ａ，１４０ｂによりなめらかに連結されることで、高低差のある環状上面を形成する。
【００１２】
導水棚１０８は、高位置にある第１棚部１１４と、低位置にある第２棚部１１６を含む。第１棚部１１４は第１上面１１０に対応する位置に形成され、第２棚部１１６は第２上面１１２に対応する位置に形成される。ここでいう「対応する位置」とは、上下方向（ｚ軸方向）において対応すること、いいかえれば、平面視において重なりあう位置にあることを意味する。より具体的には、第１上面１１０（高位面）の内周線の９０％以上に対応するように第１棚部１１４（高位棚）が形成され、第２上面１１２（低位面）の内周線の９０％以上に対応するように第２棚部１１６（低位棚）が形成されることを意味する（図２も参照）。図２からも明らかなように、第１棚部１１４は第２棚部１１６よりも長い。
【００１３】
上面部における第１上面１１０と第２上面１１２の高低差（段差）に対応して、導水棚１０８においても第１棚部１１４と第２棚部１１６に高低差が設けられる。第１棚部１１４と第２棚部１１６はなめらかな斜面（棚斜面１２０ａ）によってつながる（図２に関連して更に詳述する）。本明細書でいう「なめらか」とは、各面が連続的に、いいかえれば、不連続面を持たずにつながることをいう。
【００１４】
便鉢１０６においては、上面（第１上面１１０，第２上面１１２，上面斜面１４０ａ，１４０ｂ）が内側にせり出すことで全周にわたってオーバーハング１１８（リム返し）が形成される。オーバーハング１１８は、いわば導水棚１０８に対する屋根であり、導水棚１０８とオーバーハング１１８により通水路が形成される。本実施形態におけるオーバーハング１１８は、便鉢１０６の内周全体に環状に形成される。詳細は後述するが、導水棚１０８は一部を除いてオーバーハング１１８と主として水平方向（水流方向）において略平行な面を形成する。より具体的には、オーバーハング１１８の下面（導水棚１０８と対向する側の面）が導水棚１０８の上面に対して水流方向において略平行となる。
【００１５】
図２は、水洗式便器１００の上面図である。図３は、便鉢１０６の側断面図である。図４は、便鉢１０６の正断面図である。図５は、貯留領域１２２に対する水流を示す模式図である。
導水棚１０８は、便鉢１０６の内壁面全周に形成される環状の棚である。第１棚部１１４と第２棚部１１６は、棚斜面１２０ａおよび棚斜面１２０ｂによってなめらかに連結される。棚斜面１２０ａおよび棚斜面１２０ｂは、平面視（図２のｚ軸負方向）においていずれも便鉢１０６内周面の後端側半部内に収まる。詳細は後述するが、棚斜面１２０ａは第２洗浄水が上昇する斜面であり、棚斜面１２０ｂは第１洗浄水が下降する斜面である。棚斜面１２０ａおよび棚斜面１２０ｂは、便鉢１０６の中心軸Ｍ（図２のｘ軸方向）に対して左右対称に位置する。なお、第１棚部１１４および第２棚部１１６は共に水平方向に延伸する棚であってもよいが、第１棚部１１４は、図３に示すように前端部付近で緩やかに上昇させてもよい。この場合にも、棚斜面１２０ａ，１２０ｂは、第１棚部１１４の傾斜よりも急斜面となるように形成される。第１棚部１１４は水平に延伸する。
まとめると、導水棚１０８は中心軸Ｍに対して軸対称であり、第１棚部１１４と第２棚部１１６が棚斜面１２０ａ，１２０ｂによってなめらかに連結される高低差のある環状の棚である。
【００１６】
オーバーハング１１８は、便鉢１０６のリム全周に形成される。オーバーハング１１８は、第１上面１１０に対応する高い位置に形成される第１オーバーハング１３０と、第２上面１１２に対応する低い位置に形成される第２オーバーハング１３２を含む。第１オーバーハング１３０と第２オーバーハング１３２は、斜面オーバーハング１３４ａ，１３４ｂによってなめらかに連結される。斜面オーバーハング１３４ａは上面斜面１４０ａおよび棚斜面１２０ａに対応し、斜面オーバーハング１３４ｂは上面斜面１４０ｂおよび棚斜面１２０ｂに対応する。したがって、斜面オーバーハング１３４ａおよび斜面オーバーハング１３４ｂも、平面視（図２のｚ軸負方向）において便鉢１０６内周面の後端側の半部内に収まる。斜面オーバーハング１３４ａおよび斜面オーバーハング１３４ｂは、便鉢１０６の中心軸Ｍ（図２のｘ軸方向）に対して左右対称に位置する。
まとめると、オーバーハング１１８は中心軸Ｍに対して軸対称であり、第１オーバーハング１３０と第２オーバーハング１３２が斜面オーバーハング１３４ａ，１３４ｂによってなめらかに連結される高低差のある環状のオーバーハング（リム返し）である。
【００１７】
本実施形態におけるオーバーハング１１８および導水棚１０８はいずれも中心軸Ｍに対して対称となるように形成されるため、水洗式便器１００の全体としての調和を維持しやすいデザインとなっている。
【００１８】
第２吐水口１０４は第２棚部１１６のうち、後端右方の棚斜面１２０ｂ側に形成される。第１吐水口１０２は第１棚部１１４の上に形成される。
【００１９】
第１吐水口１０２や第１吐水口１０２から便鉢１０６に流れ込んだ洗浄水の大部分は、貯留領域１２２の排出口１２８から下水管（図示せず）に排出されるが、一部は貯留領域１２２に貯留されて便鉢１０６と下水管を封止する。貯留領域１２２の側面には更に第３吐水口１２４が形成される。水洗式便器１００のタンクから供給される洗浄水の一部は第１吐水口１０２から第１洗浄水Ｓ１として吐出され（コースＣ１）、一部は第２吐水口１０４（コースＣ２）から第２洗浄水Ｓ２として吐出され、残りは第３吐水口１２４（コースＣ３）から「第３洗浄水Ｓ３」として吐出される。コースＣ１〜Ｃ３はいずれも各吐水口からの洗浄水の主流を示す。第１洗浄水Ｓ１および第２洗浄水Ｓ２によって貯留領域１２２に集められた汚物は、第３洗浄水Ｓ３によって貯留領域１２２の奥の排出口１２８に押し出される。
【００２０】
第１吐水口１０２は、水洗式便器１００の向かって左側面（ｙ軸負方向側）の上部（リム）に形成される。第１吐水口１０２から吐出される第１洗浄水Ｓ１は、導水棚１０８（第１棚部１１４）の上を反時計回りに大きく旋回し、便鉢１０６の内壁面のうちの前面および両側面を広域洗浄する。第１洗浄水Ｓ１は第１棚部１１４を旋回後、棚斜面１２０ｂに至る前に運動エネルギーを失ってコースアウトし、貯留領域１２２に落水する（図２のＳ１参照）。
【００２１】
第２吐水口１０４から吐出される第２洗浄水Ｓ２は、導水棚１０８（第２棚部１１６）を通ることで便鉢１０６の後端面上部を局所的に洗浄し、棚斜面１２０ａの上昇傾斜（高低差）によってコースアウトし、貯留領域１２２に落水する（図２のＳ２参照）。
棚斜面１２０ａは、貯留領域１２２の開口Ｒ（図３参照）のうち、後部側方に位置する。より具体的には開口Ｒのｘ方向（前後方向）における中点をＰとすると、平面視において中点Ｐよりも後端側かつ左側に収まる位置に棚斜面１２０ａが形成される。このため、第２洗浄水Ｓ２が棚斜面１２０ａを登り切ったあと、受け面１４２の側方を流れてから貯留領域１２２に直接落水する（図２も参照）。なお、図３にも示されているように、第２棚部１１６と第１棚部１１４の大部分はどちらも水平方向に形成される。
本実施形態においては、第１棚部１１４は、凹部１３８の第２上面１１２よりも高い位置に形成される（図４参照）。
【００２２】
第２洗浄水Ｓ２の一部は落水することなく第１洗浄水Ｓ１に合流してもよいが、その主流は第１洗浄水Ｓ１に合流することなく落水することが望ましい。ここでいう「主流」とは、第２吐水口１０４から吐出される第２洗浄水Ｓ２の全水量の６０％以上、好ましくは８０％以上、更に好ましくは９５％以上を意味する。第２洗浄水Ｓ２の全水量うち、第１洗浄水Ｓ１と合流することなく落水する水流の割合は、第２吐水口１０４の位置や大きさ、第２洗浄水Ｓ２の流速、棚斜面１２０ａの形状や上昇角等、さまざまなパラメータに基づいてシミュレーション計算可能である。
【００２３】
第１洗浄水Ｓ１は、便鉢１０６の内壁を旋回したあと、右方から落水することで広域の洗浄力と排水力を提供する。第２洗浄水Ｓ２は、特に汚れやすい便鉢１０６の後端面を洗ったあと、後端左方から落水することで、後端面に対する局所的な洗浄力と排水力を提供する。第３洗浄水Ｓ３は、貯留領域１２２を撹拌するとともに汚物を排出口１２８に押し出すことにより、排出力を提供する。
【００２４】
図５に示す様に、貯留領域１２２には、汚物１２６が集められる。汚物１２６ａ〜１２６ｃのように貯留水に浮遊するものもあれば、汚物１２６ａのように沈殿するものもある。第１洗浄水Ｓ１と第２洗浄水Ｓ２が別方向から貯留領域１２２に落水して、汚物１２６ａ〜１２６ｃを貯留領域１２２に沈める。第３洗浄水Ｓ３は、こうして貯留領域１２２の底部に集められた汚物１２６ａ〜１２６ｄをまとめて排出口１２８に押し出す。以下、貯留領域１２２の汚物１２６を沈める力のことを「沈下力」とよぶことにする。浮遊する汚物１２６を確実に沈めるためには、ある程度の水量の洗浄水を充分な高さからまとめて落水させることが望ましい。
【００２５】
図５の場合、第１洗浄水Ｓ１の沈下力は汚物１２６ａ，１２６ｂに加わるが、汚物１２６ｃは第１洗浄水Ｓ１の直下にはないため、第１洗浄水Ｓ１による沈下力を受けにくい。しかし、汚物１２６ｃは第２洗浄水Ｓ２の直下にあるため、第２洗浄水Ｓ２による沈下力を受ける。本実施形態においては、第１洗浄水Ｓ１と第２洗浄水Ｓ２が左右２方向から落水することで、浮遊する汚物１２６に対する効果的に沈下力を提供できる。
【００２６】
図２に戻る。第２洗浄水Ｓ２は、便鉢１０６の後端面を洗ったあと、棚斜面１２０ａを登る途中、あるいは、登った後にその大部分が落水する。一般的には、便鉢１０６において水流方向を変化させるために、便鉢１０６の内壁面の形状、特に、通水路の平面視（ｘｙ面）における曲率を変化させることが多い。しかし、ｘｙ面における曲率変化によって水流方向を大きく変化させるのは設計が難しい。一方、本実施形態においては、棚斜面１２０ａの上下方向（ｚ方向）の傾斜によって水流方向を変えている。棚斜面１２０ａの角度の変更は比較的簡単であるため、水流制御のための設計をしやすい。
【００２７】
棚斜面１２０ａを上昇したあとの第２洗浄水Ｓ２をオーバーハング１１８の裏面に衝突させることにより、第２洗浄水Ｓ２を落水させてもよい（図６に関連して更に詳述する）。そのためには、第２洗浄水Ｓ２が棚斜面１２０ａを上昇して第１棚部１１４に進入する地点において、特に大きくせり出すようにオーバーハング１１８を形成することが望ましい。落水しなかった第２洗浄水Ｓ２は第１洗浄水Ｓ１に合流するため、第２洗浄水Ｓ２を無駄なく効率的に使うことができる。
【００２８】
図６は、本実施形態における第１棚部１１４および第２棚部１１６の高低関係を模式的に示す図である。図７は、比較例における第１棚部１１４および第２棚部１１６の高低関係を模式的に示す図である。
図６と図７の違いは、棚斜面１２０ａが第２棚部１１６付近においてオーバーハング１１８と平行しているか否かにある。
【００２９】
水洗式便器１００の床面（設置面）を基準としたときの第２棚部１１６の高さをＨ２、第１棚部１１４の高さをＨ１とする。オーバーハング１１８は、第２上面１１２に対応する第２オーバーハング１３２の裏面の高さをＨ３、第１上面１１０に対応する第１オーバーハング１３０の裏面の高さをＨ４とする。第２上面１１２（第２オーバーハング１３２の上面）の高さをＨ５、第１上面１１０（第１オーバーハング１３０の上面）の高さをＨ６とする。
【００３０】
第２棚部１１６と第２オーバーハング１３２との間に形成される通水路の高さをＴ２（＝Ｈ３−Ｈ２）とする。また、第１棚部１１４と第１オーバーハング１３０との間に形成される通水路の高さをＴ１（＝Ｈ４−Ｈ１）とする。
【００３１】
第２棚部１１６と棚斜面１２０ａの境界点をＰ１、棚斜面１２０ａと第１棚部１１４との境界点をＰ３、Ｐ１とＰ３の中間点をＰ２とする。また、第１吐水口１０２の位置をＰ４とする。
【００３２】
第２吐水口１０４から吐出される第２洗浄水Ｓ２は、第２棚部１１６を通過し、棚斜面１２０ａを登り、運動エネルギーを失うことで回転しつつ貯留領域１２２に向けて落ちる。第２洗浄水Ｓ２は、第１オーバーハング１３０の裏面に衝突して、貯留領域１２２の方向に跳ね返されてもよい。したがって、少なくとも、棚斜面１２０ａを通過した第２洗浄水Ｓ２が棚斜面１２０ａを上昇して第１棚部１１４に進入する地点においては充分な大きさのオーバーハング１１８が形成されることが望ましい。より具体的には、少なくとも区間Ｐ３〜Ｐ４においては第１オーバーハング１３０が形成されることが望ましい。
【００３３】
棚斜面１２０ａと斜面オーバーハング１３４ａは、少なくとも部分的には水流方向において平行している。より具体的には、少なくとも区間Ｐ１〜Ｐ２において、棚斜面１２０ａとその上にあるオーバーハング１１８（斜面オーバーハング１３４ａ）の裏面は略平行である。ここでいう「略平行」とは、棚斜面１２０ａの上昇角度と、斜面オーバーハング１３４ａの上昇角度の差が５％以内、好ましくは１％以内であることを意味する。本明細書における「略平行」とは、２つの面の面角度の差が５％以内、好ましくは１％以内であることを意味する。図７の比較例に示すように、斜面オーバーハング１３４ａの上昇角度が棚斜面１２０ａの上昇角度よりも急角度の場合、斜面オーバーハング１３４ａの下部に死角領域１３６（洗い残しの領域）が形成され、ここを充分に洗浄できなくなる可能性がある。本発明者らの実験によれば、図７の比較例のように形成した場合、第２洗浄水Ｓ２がＰ１を通過したあとに上下に拡散されると、Ｐ３付近においてオーバーハング１１８の裏面まで充分な量の第２洗浄水Ｓ２が届きにくくなることがわかった。図６に示すように、区間Ｐ１〜Ｐ２において棚斜面１２０ａと斜面オーバーハング１３４ａを略平行とすることで、死角領域１３６が形成されるのを防止できる。
【００３４】
なお、区間Ｐ１〜Ｐ２において、棚斜面１２０ａは斜面オーバーハング１３４ａだけでなく、上面斜面１４０ａとも水流方向において略平行となっている。
【００３５】
棚斜面１２０ａは第２棚部１１６となめらかにつながっているため、第２洗浄水をその水勢を維持しつつスムーズに棚斜面１２０ａに導くことができる。
【００３６】
棚斜面１２０ａを登った第２洗浄水は、Ｐ３を超えた後に一部はそのまま落水し、一部は第１オーバーハング１３０の裏面に衝突して跳ね返される。このため、棚斜面１２０ａにはある程度の角度が必要である。棚斜面１２０ａは１０度以上、好ましくは、３５度以上の勾配面を含むことが望ましい。
【００３７】
区間Ｐ１〜Ｐ２においては、棚斜面１２０ａと斜面オーバーハング１３４ａは傾斜方向に略平行する。同様に、第２棚部１１６と第２オーバーハング１３２は水平方向に略平行し、第１棚部１１４と第１オーバーハング１３０は水平方向に略平行する。棚斜面１２０ｂと斜面オーバーハング１３４ｂについても同様である。導水棚１０８とオーバーハング１１８はどちらも便鉢１０６の全周に環状に形成されるが、導水棚１０８の全周の８０％以上、好ましくは、９０％以上の区間においてオーバーハング１１８と導水棚１０８は略平行であることが望ましい。あるいは、導水棚１０８の全周の８０％以上、好ましくは、９０％以上の区間において上面（第１上面１１０、第２上面１１２、上面斜面１４０ａ、上面斜面１４０ｂ）と導水棚１０８が略平行であることが望ましい。オーバーハング１１８と導水棚１０８、あるいは、上面と導水棚１０８が略平行となるように導水棚１０８を形成することにより、水洗式便器１００のデザインの全体的な調和を高めることができる。
【００３８】
第１上面１１０と第２上面１１２の高低差Ｄ１（＝Ｈ６−Ｈ５）に比べると、第１棚部１１４と第２棚部１１６の高低差Ｄ２（＝Ｈ１−Ｈ２）は小さい。これは、第２棚部１１６における通水路の高さＴ２（＝Ｈ３−Ｈ２）が第１棚部１１４における通水路の高さＴ１（＝Ｈ４−Ｈ１）よりも低いためである。このように、第１上面１１０と第２上面１１２の高低差Ｄ１に比べて、導水棚１０８の高低差Ｄ２は若干緩和されている。
【００３９】
高低差Ｄ１と高低差Ｄ２を一致させるために、第２棚部１１６を図６のＨ２よりも低い位置に形成してもよい。しかし、この場合には、第２洗浄水の位置エネルギーが小さくなってしまう。また、第２棚部１１６の通水路を狭くした方が、第２洗浄水の圧力を高めることができるので後端面を強く洗浄できる。
【００４０】
高低差Ｄ１と高低差Ｄ２を一致させるために、第１棚部１１４を図６のＨ１よりも高い位置に形成してもよい。しかし、この場合には高さＴ１が狭くなるため、第１吐水口１０２の開口が小さくなり、第１吐水口１０２からの吐水量が小さくなってしまう。長い第１棚部１１４に充分な第１洗浄水Ｓ１を提供する必要があること、特に、便鉢１０６の前端部に充分な水量を提供する必要があることから、第１吐水口１０２の吐水量に構造上の制限を加えることは好ましくない。
【００４１】
したがって、本実施形態においては、第１棚部１１４と第２棚部１１６に高低差Ｄ２を設けることで、第１上面１１０と第２上面１１２の高低差Ｄ１にも対応しつつ、Ｔ２＜Ｔ１（Ｄ２＜Ｄ１）となるように導水棚１０８を形成している。このような構成により、洗浄性とデザインの調和性のバランスをとっている。
【００４２】
本実施形態においては、第２棚部１１６の通水路の高さＴ２は第１棚部１１４の通水路の高さＴ１よりも低い。少なくとも第２棚部１１６の通水路の平均の高さが第１棚部１１４の通水路の平均の高さよりも低いことが望ましい。
【００４３】
区間Ｐ１〜Ｐ４において、通水路の上下幅はＴ２からＴ１に拡大している。本実施形態においては、区間Ｐ１〜Ｐ２では通水路の上下幅はＴ２に維持され、区間Ｐ２〜Ｐ３において上下幅がＴ２からＴ１に拡大している。少なくとも、区間Ｐ１〜Ｐ４において、通水路の上下幅が拡大されればよい。ただし、区間Ｐ１〜Ｐ２においても通水路の上下幅をＴ２のまま維持すれば、上述のように死角領域１３６（洗い残し領域）が発生しにくくなるためより好適である。
【００４４】
便鉢１０６は後端面が特に汚れやすい。汚れやすい場所にはなるべく高い流速で洗浄水を流す方がよい。区間Ｐ２〜Ｐ３は、区間Ｐ１〜Ｐ２に比べれば汚れにくいため、区間Ｐ１〜Ｐ２よりも区間Ｐ２〜Ｐ３において通水路の上下幅を拡大させる方が好ましい。
【００４５】
第２吐水口１０４から吐出された第２洗浄水Ｓ２は、棚斜面１２０ａを上昇してＰ２を通過し、区間Ｐ２〜Ｐ３で上下方向に拡散する。一部は落水し、一部は第１オーバーハング１３０の裏面に衝突して落水する。
【００４６】
オーバーハング１１８は、通水路を形成するとともに、第１上面１１０や第２上面１１２に汚物や洗浄水が飛散するのを防ぐ。特に、第２オーバーハング１３２は第２上面１１２の上に載置される機能部への汚物や洗浄水の飛散を防止する。後端面に飛散する汚物は第２オーバーハング１３２の裏面によって上部への飛散が抑止され、第２オーバーハング１３２の裏面は第２洗浄水Ｓ２で洗い流される。
【００４７】
本実施形態においては、洗浄水を棚斜面１２０ａの縦方向の傾斜により、第２洗浄水Ｓ２を落下方向に進路変更（コースアウト）させている。棚斜面１２０ａとオーバーハング１１８を組み合わせれば、より簡単かつ効率的に水流の方向を変化させることができる。
【００４８】
本実施形態においては、水洗式便器１００の後端部に凹部（第２上面１１２）が形成される場合においても、凹部の存在にともなう導水棚１０８の設計制約をむしろ積極的に利用できる。導水棚１０８の高低差により、洗浄水の速度を増減させたり、あるいは、洗浄水を積極的に導水棚１０８からコースアウトさせることができる。
【００４９】
第１洗浄水Ｓ１は位置エネルギーを維持したまま第１棚部１１４の上を旋回する。そして、棚斜面１２０ｂの手前でコースアウトし、貯留領域１２２に落水する。
【００５０】
第２洗浄水Ｓ２は、第２棚部１１６の上の狭い通水路を高速で通過することで後端面を洗浄し、棚斜面１２０ａを上昇してコースアウトする。また、棚斜面１２０ａから飛び出した第２洗浄水Ｓ２の一部はオーバーハング１１８により力強く貯留領域１２２に跳ね返される。
【００５１】
このように、本実施形態においては、棚斜面１２０ａにおける高低差によって第２洗浄水Ｓ２を落水方向にコースアウトさせている。第１洗浄水Ｓ１の一部は棚斜面１２０ｂを通過した後に第２洗浄水Ｓ２に合流してもよい。しかし、便鉢１０６を周回して低速化した第１洗浄水Ｓ１が第２洗浄水Ｓ２と合流すると、第２洗浄水Ｓ２を低速化するため、第１洗浄水Ｓ１のうち周回後に第２洗浄水Ｓ２と合流する割合は２０％未満、好ましくは、１０％未満の少量であることが望ましい。
【００５２】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００５３】
本実施形態においては、水洗式便器１００の後端部に機能部を搭載するために凹部を形成し、そのために第１上面１１０と第２上面１１２という段差面を設けているが、本発明は凹部に限らず上面段差に対応して導水棚１０８を形成する場合の設計に応用可能である。導水棚１０８の棚幅は一定である必要はなく、場所に応じて変化してもよい。導水棚１０８は水平である必要はなく、水平面に対して傾斜あるいは湾曲してもよい。また、導水棚１０８は便鉢１０６の全周をひとつづきに周回する必要はなく、部分的な不連続領域（欠落など）を有してもよい。
【００５４】
以上の記載から、下記の発明が認識される。
本発明のある態様における水洗式便器は、便鉢部が形成される本体部と、便鉢部の内壁面において周方向に形成され、高位置の第１棚部と低位置の第２棚部を有する導水棚と、第１棚部に吐水するように形成される第１吐水口と、第２棚部に吐水するように形成され、第１吐水口よりも低い位置に形成される第２吐水口と、を備える。
第１棚部と第２棚部はなめらかな棚斜面により連結されてもよい。
第１棚部と第２棚部をなめらかな棚斜面で連結することにより、洗浄水の水勢を維持しつつ、棚斜面の高低差により洗浄水を落水方向に導くことができる。
【００５５】
少なくとも第２棚部を通過した洗浄水が棚斜面を上昇して第１棚部に進入する地点において、便鉢部の上面にオーバーハング部が形成されてもよい。
【００５６】
便鉢部の底部には、洗浄水を貯留する貯留領域が形成されてもよい。第２吐水口からの吐水の主流は、第１棚部において第１吐水口からの吐水と合流することなく、貯留領域に落水してもよい。
第２吐水口からの吐水の主流を第１吐水口からの吐水と合流する前に落水させることで、排出力を強化しやすくなる。
【００５７】
第２吐水口からの吐水のうち、棚斜面を上昇して第１吐水口からの吐水に合流する水量は全水量の２０％未満であってもよい。
【００５８】
第２吐水口からの吐水が上昇する棚斜面は、１０度以上の傾斜面を有してもよい。
【００５９】
導水棚は、第１棚部と第２棚部が２つの棚斜面により連結されることにより、便鉢部の全周にわたって環状に形成されてもよい。これら２つの棚斜面はいずれも便鉢部の平面視における後端半部側に形成されてもよい。
【００６０】
第１棚部は、第２棚部よりも長くてもよい。
第２棚部を短くすることにより、第２の吐水口の洗浄水の運動エネルギーを維持したまま洗浄水を力強く登坂させるやすくなる。第２の吐水口の洗浄水の主流は落水するが、落水を免れた洗浄水は第１の吐水口の洗浄水と合流する。
【００６１】
第２棚部を通過した洗浄水が第１棚部に向けて上昇する棚斜面は、平面視において便鉢部底部に形成される貯留領域の側方に形成されてもよい。
上昇棚斜面を貯留領域の側方に形成することにより、棚斜面および棚斜面の先にある第１の棚部からの落水を貯留領域に導きやすくなる。
【００６２】
本発明の別の態様における水洗式便器は、便鉢部が形成され、高位置の第１上面と低位置の第２上面を有する本体部と、便鉢部の内壁面において便鉢部の周方向に形成される導水棚と、導水棚に吐水するように形成される吐水口を備える。
導水棚は、第１上面に対応する位置に形成される第１棚部と第２上面に対応する位置に形成される第２棚部を有する。第２棚部は、第１棚部よりも低位置に形成される。
上面の高低差に対応して、導水棚にも高低差を設け、導水棚の高低差によって水流をコントロールできる。
【００６３】
第２棚部は、第１棚部となめらかな棚斜面により連結されてもよい。
第１棚部と第２棚部をなめらかに連結することにより、洗浄水の水勢を維持しやすくなる。
【００６４】
第１上面と第２上面はなめらかな上面斜面により連結されてもよい。そして、少なくとも第２棚部と棚斜面の境界地点から棚斜面の中央地点までの区間において、棚斜面は上面斜面に対して略平行の斜面であってもよい。
棚斜面と上面斜面を平行させることにより、デザイン全体の調和を保ちやすくなる。
【００６５】
便鉢部の上面斜面には、内側にせり出すオーバーハング部が更に形成されてもよい。少なくとも第２棚部と棚斜面の境界地点から棚斜面の中央地点までの区間において、棚斜面はオーバーハング部と略平行の斜面であってもよい。
【００６６】
便鉢部には、第１吐水口と第２吐水口が形成されてもよい。第１吐水口は第１棚部に吐水するように形成され、第２吐水口は第２棚部に吐水するように形成されてもよい。
【００６７】
便鉢部の内壁上端には、第１吐水口と第２吐水口が形成されてもよい。第１吐水口は第１棚部に形成され、第２吐水口は第２棚部に形成されてもよい。第２棚部と棚斜面の境界地点から第１吐水口までの範囲内において、導水棚と上面部の間隔が拡大してもよい。
第１棚部と第２棚部の高低差を、第１上面と第２上面の高低差に比べて低くすることにより、デザイン全体の調和を保ちやすくなる。
【００６８】
便鉢部の内壁上端には、第１吐水口と第２吐水口が形成されてもよい。そして、第１吐水口は第１棚部に形成され、第２吐水口は第２棚部に形成されてもよい。
【００６９】
便鉢部の上面には全周にわたって、内側にせり出すオーバーハング部が更に形成されてもよい。導水棚は、便鉢部の全周にわたって環状に形成され、かつ、少なくとも全周の８０％以上においてオーバーハング部と略平行に形成されてもよい。
【００７０】
第１棚部と第１上面の平均間隔は、第２棚部と第２上面の平均間隔よりも大きくてもよい。
【００７１】
第２棚部と棚斜面の境界地点から、便鉢部に形成される第１吐水口までの範囲内において、導水棚と上面部の間隔が拡大してもよい。
【００７２】
便鉢部の上面後端部に凹部が形成されてもよい。第２上面は凹部の底面に対応してもよい。
【符号の説明】
【００７３】
１００  水洗式便器、  １０２  第１吐水口、  １０４  第２吐水口、  １０６  便鉢、  １０８  導水棚、  １１０  第１上面、  １１２  第２上面、  １１４  第１棚部、  １１６  第２棚部、  １１８  オーバーハング、  １２０  棚斜面、  １２２  貯留領域、  １２４  第３吐水口、  １２６  汚物、  １２８  排出口、  １３０  第１オーバーハング、  １３２  第２オーバーハング、  １３４  斜面オーバーハング、  １３６  死角領域。
【図１】
0006411977.tif 000002
【図２】
0006411977.tif 000003
【図３】
0006411977.tif 000004
【図４】
0006411977.tif 000005
【図５】
0006411977.tif 000006
【図６】
0006411977.tif 000007
【図７】
0006411977.tif 000008